(57)【要約】  ４パネルのシリコン上液晶（ＬＣＯＳ）投影表示システムは、ビームスプリッタおよび偏光フィルタアーキテクチャの四つの利用できるポートを利用して、典型的な３色成分画像との比較で輝度および色域が増した４色成分画像を提供する。投影表示システムは、光源、四つの光変調パネル、光方向付けサブシステム、および投影レンズを含む。光源は四つの色成分を持つ光を生成することができる。四つの光変調器各々は、四つの色成分の各々に関連付けられる各画像を生成することができる。光方向付けサブシステムは、変調前に四つの色成分を分割して、変調後にそれらを再結合することができ、各光変調器は、光方向付けサブシステムの別個のポートに配置される。投影レンズは変調後の結合された色成分を持つ画像を投影することができる。【選択図】図１
2008537784.tif 000002
【特許請求の範囲】
【請求項１】
一の第一の色成分と、一の第二の色成分と、一の第三の色成分と、一の第四の色成分とを持つ光を生成する一の光源と、
前記第一および第二の色成分を一の第一光路へ方向付け、前記第三および第四の色成分を一の第二光路へ方向付ける、一の入力ビームスプリッタと、
前記第一光路から受光する一の入力ポートを持ち、前記第一の色成分を一の第一パネルへと方向付け、前記第二の色成分を一の第二パネルへと方向付ける、一の第一の偏光ビームスプリッタ（ＰＢＳ）と、
前記第二光路から受光する一の入力ポートを持ち、前記第三の色成分を一の第三パネルへと方向付け、前記第四の色成分を一の第四パネルへと方向付ける、一の第二のＰＢＳと、
一の第一の入力ポートにおいて前記第一および第二の色成分を受け取り、一の第二の入力ポートにおいて前記第三および第四の色成分を受け取り、前記第一、第二、第三、および第四の色成分を一の出力ポートへと方向付ける、一の第三のＰＢＳと、
前記出力ポートにおいて、前記複数の色成分から一の画像を投影する、一の投影レンズと、
を含む、投影表示システム。
【請求項２】
前記第一光路上、前記入力ビームスプリッタと前記第一のＰＢＳとの間に配置される一の第一の波長選択偏光フィルタと、
前記第二光路上、前記入力ビームスプリッタと前記第二のＰＢＳとの間に配置される一の第二の波長選択偏光フィルタと、
前記第一のＰＢＳと前記第三のＰＢＳとの間の一の光路上に配置される一の第三の波長選択偏光フィルタと、
前記第二のＰＢＳと前記第三のＰＢＳとの間の一の光路上に配置される一の第四の波長選択偏光フィルタと、
をさらに含む、請求項１に記載の投影表示システム。
【請求項３】
前記第一の波長選択偏光フィルタは、一の緑色・マジェンタ色フィルタであり、
前記第二の波長選択偏光フィルタは、一の青色・黄色フィルタであり、
前記第三の波長選択偏光フィルタは、一の黄色ノッチフィルタであり、
前記第四の波長選択偏光フィルタは、一の黄色・青色フィルタである、
請求項２に記載の投影表示システム。
【請求項４】
前記第一および第二の色成分は、緑色および赤色、あるいは赤色および緑色である、
請求項１に記載の投影表示システム。
【請求項５】
前記第三および第四の色成分は、黄色および青色、あるいは青色および黄色である、
請求項１に記載の投影表示システム。
【請求項６】
前記第一、第二、第三、および第四パネルは、複数のシリコン上液晶ディスプレイである、
請求項１に記載の投影表示システム。
【請求項７】
前記光源と前記入力ビームスプリッタとの間の一の光路上に配置される、一の黄色ノッチ波長選択偏光フィルタおよび一の青色・黄色波長選択偏光フィルタをさらに含む、
請求項１に記載の投影表示システム。
【請求項８】
前記第三のＰＢＳと前記投影レンズとの間の一の光路上に配置される、一の黄色ノッチ波長選択偏光フィルタおよび一の青色・黄色波長選択偏光フィルタをさらに含む、
請求項１に記載の投影表示システム。
【請求項９】
前記光源と前記入力ビームスプリッタとの間の一の光路上に、一の偏光子をさらに含む、
請求項１に記載の投影表示システム。
【請求項１０】
前記第三のＰＢＳと前記投影レンズとの間の一の光路上に、一の偏光子をさらに含む、
請求項１に記載の投影表示システム。
【請求項１１】
四つの色成分を持つ光を生成し、各色成分が一の波長範囲を有す、一の光源と、
各光変調器が前記四つの色成分の各一つに関連付けられたそれぞれ一つの画像を生成する、四つの光変調器と、
変調前に前記四つの色成分を分割して、変調後にそれらを再結合し、各光変調器が一の光方向付けサブシステムの一の別個のポートに配置される、前記光方向付けサブシステムと、
前記変調後の結合された複数の色成分を持つ一の画像を投影する、一の投影レンズと、を含む、
投影表示システム。
【請求項１２】
前記四つの色成分は、赤色、緑色、黄色、および青色を含む、
請求項１１に記載の投影表示システム。
【請求項１３】
前記光方向付けサブシステムは、四つの偏光ビームスプリッタ（ＰＢＳ）を含む、
請求項１１に記載の投影表示システム。
【請求項１４】
前記光方向付けサブシステムは、四つの波長選択偏光フィルタをさらに含み、各フィルタが、隣接する複数のＰＢＳの入力ポートと出力ポートとの間の一の光路上に配置される、
請求項１３に記載の投影表示システム。
【請求項１５】
前記複数の波長選択偏光フィルタは、一の緑色・マジェンタ色フィルタと、一の青色・黄色フィルタと、一の黄色ノッチフィルタと、一の黄色・青色フィルタとを含む群から選択される、
請求項１４に記載の投影表示システム。
【請求項１６】
前記光源と前記光方向付けサブシステムとの間の一の光路上に、一の偏光子をさらに含む、
請求項１１に記載の投影表示システム。
【請求項１７】
前記光方向付けサブシステムと前記投影レンズとの間の一の光路上に、一の偏光子をさらに含む、
請求項１１に記載の投影表示システム。
【請求項１８】
前記複数の光変調器は、複数のシリコン上液晶ディスプレイである、
請求項１１に記載の投影表示システム。
【請求項１９】
前記光源と前記光方向付けサブシステムとの間の一の光路上に配置される、一の黄色ノッチ波長選択偏光フィルタおよび一の青色・黄色波長選択偏光フィルタをさらに含む、
請求項１１に記載の投影表示システム。
【請求項２０】
前記光方向付けサブシステムと前記投影レンズとの間の一の光路上に配置される、一の黄色ノッチ波長選択偏光フィルタおよび一の青色・黄色波長選択偏光フィルタをさらに含む、
請求項１１に記載の投影表示システム。
【発明の詳細な説明】
【技術分野】
【０００１】
本出願は、本出願と同一出願人によっておりここに参照として組み込む「４パネルアーキテクチャ」という名称の米国仮出願シリアル番号６０／６５８，４５５（２００５年３月４日提出）の特典を請求している。
【背景技術】
【０００２】
本開示は、投影タイプのディスプレイに利用される４パネル投影システムに関している。
【０００３】
概して投影システムは、小型で低価格でありながら、高品質画像を生成することが望ましい。赤、緑、青色の成分を投影する従前の３色表示システムが知られている。しかし、このような従前の３色表示システムの欠点は、飽和ＲＧＢ原色で定義される三角形色域により潜在的に限定されるということであり、これによりビデオ投影システムにおいては、ＵＨＰランプの明るい黄色の発色が切り捨てられてしまう。
【０００４】
図５は、従前の３パネルＲＧＢディスプレイとともにうまく利用されてきた既知のアーキテクチャ５００を図示する。アーキテクチャ５００は、波長選択偏光フィルタを持つ四つの偏光ビームスプリッタ（ＰＢＳ）を利用するシリコン上液晶（ＬＣＯＳ）システムである。このようなフィルタは、米国特許番号５，７５１，３８４に記載されるＣｏｌｏｒＳｅｌｅｃｔ（登録商標）リターダスタックフィルタであってよく、これをここに全ての目的で参照として組み込む。このようなアーキテクチャ５００は単一の原色帯域（primary band）を分割するのに入力キューブ５０２を利用し、二つのパネル５０６、５０８間を分割・再結合するのに共有ＰＢＳ５０４を利用し、単一のパネル５１２からのビームの入力を分離および出力するのに単一キューブ５１０を利用し、３色全てを再結合して入力キューブ５０２の逆を効率的に実行するのに第四の出力キューブ５１４を利用する。リターダスタックフィルタ５１６−５２２は、一つの色帯域の偏光をその補完物（complement）に対して選択的に変換し、反射性ＬＣＯＳパネルに利用される、色分割・結合システムを形成すべく、幾らかのＰＢＳと共に利用されることが知られている。
【０００５】
このようなシステムの他の欠点は、投影画像の輝度（brightness）改善の目的からカラーバランスがしばしば犠牲にされることである。カラー表示用途における画質の一つの局面は色温度である。これは白色の白色度により示される、主観的な評価である。カラーバランスは従来、追加的濾過をすることで特定の色成分の強度を減じて、これにより光源の不均衡を是正することで達成されていた。しかし、画像の輝度は既に従来の表示システムにおいても問題を呈しているので、より望ましい色温度を達成する目的から輝度をさらに減じることはしばしば望ましくない。
【０００６】
故に、色域の増加および投影システムの輝度向上の目的からは、追加的な原色、あるいは異なる原色一式を投影システムで利用することが望ましいと思われる。
【発明の開示】
【０００７】
開示するのは、４原色に基づく投影システムを提供する４パネルアーキテクチャである。例えば、このシステムで利用することができる４原色成分には、赤、黄、緑、および青が含まれる。黄色光を第四の原色として含めることで、上述の３パネルシステムの欠陥に対する幾らかの利点がある。第一に、さもなくば切り捨てられるＵＨＰ光源からの黄色光を利用する透過スループットが増えることで、色の輝度が増すことである。第二に、４原色成分が利用できるようになることで、従来の３原色に基づくシステムでは不可能だった色再生が可能となることにより、色域が増すことである。特に、原色の緑色をより深い緑とすることができる。
【０００８】
開示の一局面によると、投影表示システムは、光源と、入力ビームスプリッタと、第一、第二、および第三のＰＢＳと、投影レンズとを含む。光源は、第一、第二、第三、および第四の色成分を持つ光を生成することができる。入力ビームスプリッタは、第一、第二の色成分を第一光路へ方向付けることができ、第三、第四の色成分を第二光路へ方向付けることができる。第一のＰＢＳは第一光路から受光する入力ポートを有す。第一のＰＢＳは第一の色成分を第一パネルへと方向付け、第二の色成分を第二パネルへと方向付ける。第二のＰＢＳは第二光路から受光する入力ポートを有す。第二のＰＢＳは第三の色成分を第三パネルへと方向付け、第四の色成分を第四パネルへと方向付ける。第三のＰＢＳは第一の入力ポートにおいて第一および第二の色成分を受け取り、第二の入力ポートにおいて第三および第四の色成分を受け取る。第三のＰＢＳは第一、第二、第三、および第四の色成分を出力ポートへと方向付け、投影レンズはこれら色成分から画像を投影する。
【０００９】
開示の別の局面によると、投影表示システムは、光源と、四つの光変調パネルと、光方向付けサブシステムと、投影レンズとを含む。光源は四つの色成分を持つ光を生成することができる。四つの光変調器各々は、四つの色成分の各々に関連付けられる各画像を生成することができる。光方向付けサブシステムは、変調前に四つの色成分を分割して、変調後にそれらを再結合することができ、各光変調器は、光方向付けサブシステムの別個のポートに配置される。投影レンズは変調後の結合された色成分を持つ画像を投影することができる。
【発明を実施するための最良の形態】
【００１０】
図１は、４パネル投影システム１００の一実施形態を図示する。４パネル投影システム１００は、光源１０１、事前偏光子１０２、波長選択偏光フィルタ１０３、１０３ａ、１１２―１１８、入力ビームスプリッタ１０４、偏光ビームスプリッタ（ＰＢＳ）１０６―１１０、ＬＣＯＳ反射性パネル１２０―１２６、投影レンズ１３２、および制御器１３４を、示される配置で含む。４パネル投影システム１００はさらに、出口波長選択偏光フィルタ１２８ａ、１２８、および／または偏光フィルタ１３０を含むこともできる。
【００１１】
光源１０１は、標準ＵＨＰ水銀照明源、金属ハロゲン源、発光ダイオードに基づく光源、レーザに基づく光源、キセノン光源、あるいは複数の色成分を持つ可視スペクトルを生成する、その他の任意の光源であってよい。制御器１３４はパネル１２０―１２６に対して制御信号を提供して、これにより色成分画像情報を持つ各々の色成分を変調してもよい。制御器１３４はさらに各制御信号を調整してパネル１２０―１２６について反射色成分の強度を変化させ、これにより色成分バランスを調整してもよい。入力ビームスプリッタ１０４はＰＢＳであってもよく、あるいは、二重通過帯域二色鏡（double pass band dichroic mirror）であってもよい。波長選択偏光フィルタ１０３、１０３ａ、１１２―１１８、および１２８は、一以上の色成分の偏光を選択的に変換するリターダスタックフィルタ（ＲＳＦｓ）であってよい。波長選択偏光フィルタの例には、ＣｏｌｏｒＳｅｌｅｃｔ（登録商標）フィルタが含まれ、これは、所定のスペクトルの偏光を直交偏光へ回転し、一方で他のスペクトルの偏光の状態は変えないで保つ。ＣｏｌｏｒＳｅｌｅｃｔ（登録商標）フィルタは、コロラド州ボールダのＣｏｌｏｒｌｉｎｋ，Ｉｎｃ．から入手できる。波長選択偏光フィルタ１０３、１０３ａ、１１２―１１８、および１２８は、反射性ＬＣＯＳパネル１２０―１２６とともに利用される、色分割・結合システムを形成すべく、ＰＢＳ１０６―１１０（および１０４がＰＢＳであれば１０４も含める）と共に利用されてもよい。一般的に、波長選択偏光フィルタは二色特定パネル間の光の分割・結合、入力・出力をするのに利用されるＰＢＳの四つのポート全てを助ける。
【００１２】
ここで利用される色成分とは、例えば、赤、青、黄、緑光成分といった、異なる色あるいはスペクトルの帯域幅のことを言う。この例示的実施形態においては、第一の色成分は緑、第二の色成分は赤、第三の色成分は黄、第四の色成分は青であってもよい。しかし色成分については、お望みにより、任意の波長範囲の一式を利用すること、および／または、異なる順序で配列することができることは理解されよう。異なる色成分の波長範囲は、お互いに重複してもしなくてもよい。ここで詳細に述べられるように、この色の組み合わせにより、増加した輝度と色域の最適な組み合わせがもたらされる。さらに、ここで利用される「方向付ける」という用語は、入力ビームスプリッタあるいは偏光ビームスプリッタ成分との関連で利用される場合には、インターフェースにおいて光を透過、および／または反射することを言う。
【００１３】
操作中、光源１０１からの光は、「ｐ」偏光を持つシステムに光を事前偏光する「ｐ」偏光子１０２（例えば、細線格子偏光子（wire grid polarizer））に入射する。そして黄色ノッチフィルタ１０３ａは偏光子１０２と偏光子１０３との間に配置されてもよい。これに続く偏光フィルタ１０３は、青色・黄色フィルタであってもよい。故に、偏光フィルタ１０３ａ、１０３の組み合わせは、黄色および青色（第三および第四）の色成分を「ｓ」偏光状態に変更するよう構成された通過帯域および阻止帯域（pass and stop bands）を持つ混合フィルタを提供する。このようにして、入力ビームスプリッタ１０４は、光源１０１からの入力光について、第一および第二の色成分をＰＢＳ１０６へ向けて分割するのに利用されてもよく、さらに、第三および第四の色成分をＰＢＳ１０８へ向けて分割するのに利用されてもよい。異なる偏光状態は好ましくは、９０度の配向で（「ｓ」「ｐ」線直交偏光状態のような）あるが、お望みによってその他の任意の適切な角度あるいは関連性を持っていてもよい。さらに、右回り・左回りの円状偏光状態を利用することもできる。
【００１４】
第一の、および第二の色成分は以下のように処理される。偏光フィルタ１１２は第一の色成分（例えば緑色）の偏光を、「ｐ」偏光にある第二の色成分（例えば赤色）に略直交する「ｓ」偏光に変換する。ＰＢＳ１０６は光を二つの偏光成分に分割して、「ｐ」偏光成分を透過しつつ「ｓ」偏光成分をインターフェースで反射する。故に、ＰＢＳ１０６のインターフェースは、「ｓ」偏光を持つ第一の色成分を第一パネル１２０へと反射する。ＰＢＳ１０６は、ｐ偏光をインターフェースを通して透過させることで、「ｐ」偏光を持つ第二の色成分を、第二パネル１２２へと透過する。ＯＮ状態にある場合、第一パネル１２０から反射した第一成分光の偏光状態は、「ｓ」から「ｐ」偏光へ変換され、故に第一パネル１２０からの反射光はＰＢＳ１０６の境界から偏光フィルタ１１８へと透過される。同様に、ＯＮ状態にある場合、第二パネル１２２から反射した第二色成分光は「ｓ」偏光となり、インターフェースで偏光フィルタ１１８へと反射する。従って、この仕組みにより、変調された第一および第二の色成分が組み合わせられる。
【００１５】
第三および第四の色成分が同様の方法で処理される。例えば、偏光フィルタ１１４は第三の色成分（例えば黄色）の偏光を、「ｐ」偏光にある第四の色成分（例えば青色）に略直交する「ｓ」偏光へ変換する。ＰＢＳ１０８は、「ｓ」偏光をインターフェースで反射させることで、「ｓ」偏光を持つ第三の色成分を第三パネル１２４へと反射する。ＰＢＳ１０８は、「ｐ」偏光にインターフェースを通過させることで、「ｐ」偏光を持つ第四の色成分を第四パネル１２６へと透過させる。ＯＮ状態にある場合、第三パネル１２４から反射した光は「ｓ」から「ｐ」偏光へ変更され、故にパネルからの反射光はＰＢＳ１０８のインターフェースから偏光フィルタ１１６へと透過される。同様に、ＯＮ状態にある第四パネル１２６からの反射した第四色成分光は、「ｓ」偏光へ変更され、インターフェースで偏光フィルタ１１６へと反射する。従って、この仕組みにより、変調された第三および第四の色成分が組み合わせられる。
【００１６】
ＰＢＳ１１０は第一、第二、第三、第四の色成分を組み合わせ、それらを投影レンズ１３２へと方向付ける。投影フィルタ１１８は、「ｐ」偏光にある第一の色成分と「ｓ」偏光にある第二の色成分とを受け取るが、第一および第二の色成分をＰＢＳ１１０の境界で投影レンズ１３２へと透過させるべく、第二の色成分の偏光を「ｐ」偏光へと変換してもよい。他の実施形態においては、ＰＢＳ１１０の他の出力ポートを利用してもよいが、この場合には、第一および第二の色成分がＰＢＳ１１０の境界層で反射されるべく、第一の色成分を「ｓ」偏光に変換するように偏光フィルタ１１８を選択する。ここで、第三および第四の色成分に関しては、第三の色成分を「ｐ」から「ｓ」偏光へ変換するように偏光フィルタ１１６を選択する。あるいは、他の出力ポートを利用する他の実施形態においては、第四の色成分を「ｓ」から「ｐ」偏光へ変換するように偏光フィルタ１１６を選択する。このようにして、変調された第一、第二、第三、第四の色成分は組み合わせられ、投影レンズ１３２へと方向付けられる。
【００１７】
ＰＢＳ１１０の他の出力ポートを利用して平行な入力・出力構成を提供してもよいが、投影レンズに対向するのは緑色の色成分パネル（例えばパネル１２０）であるのが望ましい、というのも、これにより収差が減り、結像がより良好になるからである。さらに、入力ビームスプリッタ１０４に他の入力ポートを利用してもよいが、フォトピカルに（photopically）より深い緑色および赤色のチャネルへのきれいな偏光を最適化する目的上、全てのパネルがシステムの出力に対して相対的に配置されることが望ましい。さらに、この９０度の入力・出力構成を選択することで、黄色および青色の色成分のスループットが最大化され、これは最大のカラーバランスのとれた出力輝度をもたらすのに有益である。
【００１８】
多くのＰＢＳの一般的特徴は、インターフェースにおいて「ｓ」偏光が殆ど透過しないことであるが、「ｐ」偏光は、理想的にはインターフェースを透過すべき場合に、適度な量が反射される。この特徴により、パネル１２６により変調される、変調された第四の色成分は、（この例の場合、青色の色成分）は、幾らかのＰＢＳによりうまく解析されないので、全てのパネル１２０―１２６がＯＦＦ状態の場合、第四の色成分が漏れて、望ましくない青色がプロジェクタのＯＦＦ状態において観察されることとなり得る。よって、この問題に対する三つの方法を以下に提起する。この望ましくないＯＦＦ状態の第四の色成分（青色）の漏れを最小限にする第一のアプローチは、色出力偏光子１３０（例えば、青だけ）を出口解析器として利用して、浮遊している「ｐ」偏光の第四の色成分を取り除くことに関する。第二のアプローチは、波長選択偏光フィルタ１２８ａ、１２８を利用することに関しており、ここでフィルタ１２８ａはフィルタ１０３ａに類似しており、フィルタ１２８はフィルタ１０３に類似している（例えば、黄色ノッチフィルタおよび青色・黄色フィルタの組み合わせ）。また、第三のアプローチは、フィルタ１２８ａ、１２８、および／または１３０を利用する必要を無くすべく、偏光の低反射を一スペクトル帯域に持つような、高性能の解析ＰＢＳを幾つか利用することに関する。
【００１９】
図１は一つの可能な実施形態を示しているが、発明の構想は多くのインクリメンタルな変形例を含むよう容易に拡大できることが理解されるべきである。例えば、ある程度のＰＢＳ偏光解消およびスキュー光線補正を、この４パネルアーキテクチャと共に利用することもできる。これは米国特許番号６，８１６，３０９に記載された原則に一致しており、これをここに全ての目的で参照として組み込む。他に利用できる変形例としては、優秀な偏光性能を保ちつつ従前のＰＢＳに伴う反射波歪みを克服する混合偏光ビームスプリッタ構成を利用することである。これは米国特許仮出願番号６０／７１７，１３４に開示された原則に一致しており、これをここに全ての目的で参照として組み込む。
【００２０】
図２は、ＵＶフィルタを通った、図１の例示的ＵＨＰ照明源１０１のスペクトル２００を示す。このスペクトルが示すように、ＵＨＰ照明源１０１からの光は基本的に白く、出力は幾らか赤が欠乏しており緑が多い。３パネルＲＧＢシステムにおいては、典型的にこのスペクトルのピーク型の性質により、特に５８０ｎｍ辺りの不要な黄色のスパイクを除去すべく、正確な色管理が要求される。しかし、ここで記載される４パネルＲＹＧＢは、さもなくば切り捨てられる５８０ｎｍ辺りの黄色発光を利用することで、システムの輝度および色域を増す。
【００２１】
図３は、図１の例示的実施形態で利用されている様々な波長選択カラーフィルタ１０３ａ、１０３、１１２―１１８、１２８ａ、１２８の波長に対する正規化透過を図示するグラフ３００である。例えば、線３０２は、フィルタ１０３ａ、１０３（およびフィルタ１２８ａ、１２８）が組み合わせられることで、偏光フィルタが交差した構成、あるいは平行な構成にあるかに応じて黄色および青色の色成分を通過させたりさせなかったりするよう構成された通過帯域および阻止帯域を持つ混合リターダフィルムフィルタを提供する。線３０４は、図１のフィルタ１１４の正規化透過スペクトルを図示しており、これは例示的実施形態においては青色・黄色フィルタである。線３０６は、図１のフィルタ１１６の正規化透過スペクトルを示しており、これは例示的実施形態においては黄色ノッチフィルタである。図１の例示的実施形態のフィルタ１１２は、緑色・マゼンタ色フィルタであるが、線３０８が示す正規化透過スペクトルを持つ。図１のフィルタ１１８は黄色・青色フィルタであり、線３１０が図示する正規化透過スペクトルを持つ。このようなスペクトル特徴は、狭い遷移帯域幅およびフラットな外形とともに、高いピーク透過性および高い色コントラスト性を提供する。一般的に、これらフィルタは、入射角度にほぼ影響を受けないスペクトル特性を持つ。
【００２２】
４パネルシステムで最適な色点（optimum color points）を明確に特定するのは難しい、なぜなら任意の必要なＲＧＢ色域を包括する解決法は無数にあるからである。しかし、良好な性能を示すある対象色が選択されると（５８０ｎｍ辺りの黄色スパイクなど）、図４に示す拡大色域を生じるようにフィルタを設計、作成することができる。
【００２３】
図４は、変更された色空間を示すグラフに表された、シミュレーションシステム色域４００を図示する。当業者であれば、線４０２が（ｕ'，ｖ'）色空間の視覚色境界（visual color boundary）を表すことを理解するであろう。（ｕ'，ｖ'）色空間のグラフィック表現は、Ｍｉｃｈａｅｌ  Ｇ．Ｒｏｂｉｎｓｏｎ  ｅｔ  ａｌ．，Ｐｏｌａｒｉｚａｔｉｏｎ  Ｅｎｇｉｎｅｅｒｉｎｇ  ｆｏｒ  ＬＣＤ  Ｐｒｏｊｅｃｔｉｏｎ（Ｗｉｌｅｙ＆Ｓｏｎｓ２００５）にさらに詳細に記載されており、これを参照として組み込む。
【００２４】
三角形４０４は標準的な３パネルＲＧＢ色域を図示し、三角形４０６は拡大４パネル域を図示する。示されているように、拡大４パネル域三角形４０６は、同様の４ｘＰＢＳアーキテクチャをもつ従前の３パネルシステムが達成し得るものに比して、域面積で約２０パーセント増加を示す。システムスループットを解析すると、スループットの大幅な増加が明らかとなり、故に域および輝度の増加が明らかとなる。例えば、システムスループットの実験解析をすると、８０００Ｋ補正白色点で１７５％のスループットが明らかとなり、原色ルーメン比（primary lumen ratio）Ｒ：Ｙ：Ｇ：Ｂ１１：４０：４２：８が明らかとなった。
【００２５】
ここで開示する原理に準拠して様々な実施形態を上述したが、それらが単に例示目的であり限定的ではないことは理解されるべきである。故に、発明の全幅および範囲は、上述の例示的実施形態のいずれによっても限定されるべきではなく、請求項および本開示から生じるその均等物によってだけ定義されるべきである。さらに、記載された実施形態において上述の利点および特徴を述べたが、これらは請求項の適用をこれら上述の利点のいずれかあるいは全てを達成する工程および構造に対してだけに限定するものではない。
【００２６】
加えて、セクション表題は米国連邦規則Ｃ．Ｆ．Ｒ．セクション１．７７の示唆に則り設けられたか、あるいは構成都合上の見出しとして設けられている。これら表題は、この開示に由来する、いずれの請求項に記載の、発明（一又は複数）を限定、特徴づけるものではない。特に、また例えば、表題が「技術分野」となっていても、請求項は所謂技術分野を記載する際この表題下から選ばれた文言による限定を受けない。さらに、「背景技術（Background）」の技術の記載は、その技術が本開示におけるいずれかの発明の先行技術であると自認したと解釈されるべきものではない。またさらに、「発明の開示（Brief Summary）」は、請求項記載の発明（一又は複数）の特徴づけとして考慮されるべきものではない。さらには、本開示中「発明」と単数形で示してあっても、本開示がたった一つの新規な点を請求している、という議論に利用されるべきものではない。本開示に由来する多数の請求項の限定により多数の発明を述べることができ、従い請求項も、これにより保護される発明（一又は複数）およびその均等物（一又は複数）を定義する。いずれの場合においても、請求項の範囲は本開示に照らしてその実体を考慮されるべきであり、ここで使用される表題により制限されるべきではない。
【図面の簡単な説明】
【００２７】
開示は、以下の図面を参照して詳細に記載される。図面中、同様の参照番号は同様の要素を言及する。
【００２８】
【図１】本開示による、４パネル投影システムの一実施形態を図示する。
【００２９】
【図２】本開示による、電磁周波数範囲の紫外フィルタを通った例示的ＵＨＰランプの正規化出力を図示するグラフである。
【００３０】
【図３】図１の例示的実施形態で利用される、様々な波長選択カラーフィルタの波長に対する正規化透過を図示するグラフである。
【００３１】
【図４】本開示による、シミュレーションシステム色域のための、変更された色空間を示すグラフである。
【００３２】
【図５】３パネルＲＧＢディスプレイと共に利用されてきた既知のアーキテクチャの図である。
【図１】
2008537784.tif 000003
【図２】
2008537784.tif 000004
【図３】
2008537784.tif 000005
【図４】
2008537784.tif 000006
【図５】
2008537784.tif 000007